(57)【要約】【課題】走行時の羽根に歪み、ねじれがあっても、羽根の衝撃を適切に緩和し、羽根の変形及び破損を防止することができるフォーカルプレンシャッタ及び撮像装置を提供する。【解決手段】フォーカルプレンシャッタは、羽根の衝撃を緩和する弾性部材で成形された緩衝部材６０であって、走行終了位置に達した羽根の、走行方向の側の一辺部と当接し、シャッタ地板の面と平行に伸びる当接部６０ａを備え、内部に複数の空洞部６０ｃを有する緩衝部材６０を備える。複数の空洞部６０ｃは、緩衝部材６０を、当接部６０ａが伸びる方向と直交する面で切断したとき、切断された切断面全体に分散して配置されている。【選択図】図４
2019002985.tif 000002
【特許請求の範囲】
【請求項１】
露光開口が形成された地板と、
前記露光開口を開閉する少なくとも１枚の羽根を有する羽根部材と、
前記羽根部材と連結され、前記羽根を前記露光開口が開閉するように走行駆動させる駆動部材と、
前記羽根の衝撃を緩和する弾性部材で成形された緩衝部材であって、走行終了位置に達した前記羽根の、走行方向の側の一辺部と当接し、前記地板の面と平行に伸びる当接部を備え、内部に複数の空洞部を有する緩衝部材と、を備え、
前記複数の空洞部は、前記緩衝部材を、前記当接部が伸びる方向と直交する面で切断したとき、切断された切断面全体に分散して配置されている、
フォーカルプレンシャッタ。
【請求項２】
前記複数の空洞部は、前記当接部の伸びる方向と平行に伸びて、前記緩衝部材を貫通する複数の孔である、
請求項１に記載のフォーカルプレンシャッタ。
【請求項３】
前記複数の空洞部は、前記当接部の伸びる方向に分散して配置され、球状の輪郭を有する、
請求項１に記載のフォーカルプレンシャッタ。
【請求項４】
前記当接部は、複数の凸部を備える、
請求項１から３のいずれか１項に記載のフォーカルプレンシャッタ。
【請求項５】
前記複数の凸部は、前記緩衝部材の伸びる方向と同一の方向に伸び、互いに平行に並べられて配置された半円柱形状の凸部である、
請求項４に記載のフォーカルプレンシャッタ。
【請求項６】
前記複数の凸部における各凸部の頂点と頂点の間の長さは、前記当接部に当接する羽根の厚さよりも長い、
請求項４又は５に記載のフォーカルプレンシャッタ。
【請求項７】
請求項１から６のいずれか１項に記載のフォーカルプレンシャッタを備える、撮像装置。
【発明の詳細な説明】
【技術分野】
【０００１】
本発明は、フォーカルプレンシャッタ及び撮像装置に関する。
【背景技術】
【０００２】
フォーカルプレンシャッタにおいて、シャッタ動作の際に高速走行する羽根の走行終了時の衝撃を軽減するために、羽根の走行終了位置に緩衝部材が設けられる。例えば、特許文献１は、羽根の走行終了位置において羽根と当接し、弾性変形するループ形状の孔が形成された緩衝部材を備える撮像装置を開示している。
【先行技術文献】
【特許文献】
【０００３】
【特許文献１】特開２０１１−１７０２２６号公報
【発明の概要】
【発明が解決しようとする課題】
【０００４】
しかし、近年、羽根を高速走行させるために、羽根の軽量化が進み、羽根の走行時に羽根に歪み、ねじれが生じている。また、羽根の駆動機構が複雑となっていることも、羽根の走行時の歪み、ねじれの原因となっている。羽根の歪み、ねじれがあると、羽根の走行終了位置において、緩衝部材に対して羽根が垂直ではなく、垂直から傾斜した角度で緩衝部材に当接することがある。特許文献１に開示された緩衝部材は、ループ形状の孔が形成されているので、緩衝部材は一定の方向にのみ変形する。また、緩衝部材に孔が形成されていないときは、孔が形成された緩衝部材よりも変形の度合いは低い。
【０００５】
変形が一定方向のみの緩衝部材、あるいは変形の度合いが低い緩衝部材に、羽根が垂直から傾斜した角度で当接した場合には、羽根は変形しやすく、破損するおそれがあった。
【０００６】
本発明は、上記実情に鑑みてなされたものであり、走行時の羽根に歪み、ねじれがあっても、羽根の衝撃を適切に緩和し、羽根の変形及び破損を防止することができるフォーカルプレンシャッタ及び撮像装置を提供することを目的とする。
【課題を解決するための手段】
【０００７】
上記目的を達成するため、本発明に係るフォーカルプレンシャッタは、
露光開口が形成された地板と、
前記露光開口を開閉する少なくとも１枚の羽根を有する羽根部材と、
前記羽根部材と連結され、前記羽根を前記露光開口が開閉するように走行駆動させる駆動部材と、
前記羽根の衝撃を緩和する弾性部材で成形された緩衝部材であって、走行終了位置に達した前記羽根の、走行方向の側の一辺部と当接し、前記地板の面と平行に伸びる当接部を備え、内部に複数の空洞部を有する緩衝部材と、を備え、
前記複数の空洞部は、前記緩衝部材を、前記当接部が伸びる方向と直交する面で切断したとき、切断された切断面全体に分散して配置されている、
フォーカルプレンシャッタ。
【０００８】
前記複数の空洞部は、前記当接部の伸びる方向と平行に伸びて、前記緩衝部材を貫通する複数の孔であってもよい。
【０００９】
前記複数の空洞部は、前記当接部の伸びる方向に分散して配置され、球状の輪郭を有してもよい。
【００１０】
前記当接部は、複数の凸部を備えてもよい。
【００１１】
前記複数の凸部は、前記緩衝部材の伸びる方向と同一の方向に伸び、互いに平行に並べられて配置された半円柱形状の凸部であってもよい。
【００１２】
前記複数の凸部における各凸部の頂点と頂点の間の長さは、前記当接部に当接する羽根の厚さよりも長くてもよい。
【００１３】
本発明に係る撮像装置は、上記フォーカルプレンシャッタを備える。
【発明の効果】
【００１４】
本発明によれば、走行時の羽根に歪み、ねじれがあっても、羽根の衝撃を適切に緩和し、羽根の変形及び破損を防止することができるフォーカルプレンシャッタ及び撮像装置を提供することができる。
【図面の簡単な説明】
【００１５】
【図１】本実施の形態に係るフォーカルプレンシャッタにおいて、シャッタ動作開始前に先羽根群が露光開口を閉鎖した状態を示す図である。
【図２】図１のＸ−Ｘ’線で切断した切断面を示す図である。
【図３】先羽根群の走行終了時に、羽根が緩衝部材に当接した状態を示す図である。
【図４】緩衝部材を示し、（ａ）は緩衝部材の上面図、（ｂ）は図４（ａ）のＹ１−Ｙ１’線で切断した切断面を示す図である。
【図５】他の緩衝部材を示し、（ａ）は緩衝部材の上面図、（ｂ）は図５（ａ）のＹ２−Ｙ２’線で切断した切断面を示す図である。
【図６】羽根が緩衝部材に当接した状態を示す概念図であり、（ａ）は羽根が接触した状態、（ｂ）は羽根が当接することで緩衝部材が変形した状態を示す図である。
【図７】変形例の緩衝部材を示し、（ａ）は緩衝部材の上面図、（ｂ）は図７（ａ）のＹ３−Ｙ３’線で切断した切断面を示す図である。
【発明を実施するための形態】
【００１６】
以下、本発明の実施の形態の一例に係るフォーカルプレンシャッタについて、図面を参照して説明する。
【００１７】
本実施の形態に係るフォーカルプレンシャッタは、撮像素子を有する撮像装置等に設けられる。撮像装置は、例えば、デジタルカメラを含むカメラ、監視カメラである。撮像素子は、例えば、ＣＣＤ（Charge Couples Device）、ＣＭＯＳ（Complementary Metal Oxide Semiconductor）のイメージセンサである。フォーカルプレンシャッタは、レンズ等の光学系から撮像素子に至る光軸上に配置される。
【００１８】
図１、図２を参照して、本実施の形態に係るフォーカルプレンシャッタ１００の構成を説明する。なお、以下では、図１の正面側（手前側）が撮像素子側であり、図１の背面側が被写体側（レンズ側）である。図２は、図１のＸ−Ｘ’線で切断した切断面を示す図である。
【００１９】
本実施の形態では、先羽根群、後羽根群である２つのシャッタ羽根を先羽根用駆動部材と後羽根用駆動部材を駆動してそれぞれ走行させることにより開閉動作させるフォーカルプレンシャッタにおいて、緩衝部材を先羽根群に適用する例について説明する。
【００２０】
本実施の形態に係るフォーカルプレンシャッタ１００は、図１，図２に示すように、シャッタ地板１０と、先羽根群２０と、中間板３０と、補助地板４０と、後羽根群５０と、緩衝部材６０を備える。
【００２１】
フォーカルプレンシャッタ１００は、この他に図示しない、露光開口１０ａを開放するように先羽根群２０を走行駆動してシャッタ動作（露光動作）をさせる先羽根用駆動部材、露光開口１０ａを閉鎖するように後羽根群５０にシャッタ動作をさせる後羽根用駆動部材、先羽根用駆動部材及び後羽根用駆動部材をシャッタ動作前のセット位置にセットするセット部材、先羽根駆動部材をセット位置に吸着保持する先羽根用電磁石、後羽根駆動部材をセット位置に吸着保持する後羽根用電磁石を備える。
【００２２】
図１のシャッタ地板１０の正面側に、先羽根群２０、中間板３０、補助地板４０、及び後羽根群５０が配置され、シャッタ地板１０の裏面側に、先羽根用駆動部材、後羽根用駆動部材、セット部材、先羽根用電磁石、及び後羽根用電磁石が配置される。図１では、シャッタ地板１０と、先羽根群２０のみが記載され、中間板３０、補助地板４０、後羽根群５０は記載されていない。
【００２３】
シャッタ地板１０は、樹脂で成形された板状の矩形部材であり、その略中央部には、横長の長方形の露光開口１０ａが形成されている。シャッタ地板１０の正面側には、シャッタ地板１０の一辺を形成する下端部から延出し、左右方向に伸びる延出部１０ｄが形成されている。延出部１０ｄの延出した面に緩衝部材６０が取り付けられる。
【００２４】
シャッタ地板１０の露光開口１０ａの右側には、円弧状の２つの長孔１０ｂ，１０ｃが形成されている。シャッタ地板１０の背面、すなわちレンズ側の面には、支軸１１ａ，１１ｂが立設されている。また、シャッタ地板１０の正面、すなわち撮像素子側の面には、支軸１１ｃ，１１ｄ，１１ｅが立設されている。これらの支軸のうち、支軸１１ｃは支軸１１ａと、支軸１１ｄは支軸１１ｂと、それぞれ、同心上に立設されている。
【００２５】
シャッタ地板１０の正面側には、図２に示すように、中間板３０と補助地板４０が所定の間隔を空けて配置される。シャッタ地板１０と中間板３０の間の空間により、先羽根群２０の羽根室が形成され、中間板３０と補助地板４０との間の空間により、後羽根群５０の羽根室が形成される。
【００２６】
中間板３０と補助地板４０には、シャッタ地板１０の露光開口１０ａと同一形状の開口３０ａ，４０ａが、それぞれ形成されている。また、中間板３０と補助地板４０のそれぞれには、シャッタ地板１０の長孔１０ｂ，１０ｃと同一の長孔が形成されている。
【００２７】
長孔１０ｂと長孔１０ｃの下端部には、ゴム等の弾性材料からなる平面形状が略Ｃ字状の当接部材（不図示）がそれぞれ取り付けられている。この当接部材は、シャッタ動作終了時に駆動部材の駆動ピンを当接させて衝撃を緩和するための部材である。
【００２８】
シャッタ地板１０のレンズ側の面には、実際には、このほかにも、駆動部材をシャッタ動作（露光動作）前のセット位置にセットするセット部材を回転可能に取り付けるための支軸や、駆動部材をセット位置において磁気的に吸着保持する電磁石等が設置された支持板をシャッタ地板１０と並行に取り付けるための複数の柱が立設されている。
【００２９】
先羽根群２０は、シャッタ地板１０と中間板３０との間の羽根室内を走行するメカニカル方式の先幕シャッタ（先羽根部材）である。先羽根群２０は、２つの先羽根アーム２５，２６と、それらにそれぞれの一端を枢支された４枚の羽根２１，２２，２３，２４とを備える。先羽根アーム２５，２６の最先端に枢支された羽根２１が、露光スリットを形成するスリット形成羽根である。シャッタ地板１０の地板面から正面側に向けて、先羽根アーム２５，２６，羽根２１，２２，２３，２４の順に配置されている。
【００３０】
羽根２１〜２４は、一定の方向に伸びて形成され、羽根の走行方向に対向する一対の一辺部を備える。一対の一辺部が、羽根の走行方向の方向に応じて、羽根の走行終了位置において、後述する当接部６０と当接する。本実施の形態では、スリット形成羽根である羽根２１を例にして説明する。
【００３１】
先羽根アーム２５は、シャッタ地板１０の支軸１１ｃに回転可能に取り付けられ、先羽根アーム２６は、シャッタ地板１０の支軸１１ｅに回転可能に取り付けられる。先羽根用駆動部材の駆動ピンは、シャッタ地板１０の長孔１０ｂに挿入され、その先端部が先羽根アーム２５に形成された長孔２５ａに嵌合されている。
【００３２】
セット部材によって先羽根用駆動ばねの付勢力に抗して先羽根用駆動部材が時計回りに回転することに伴って、先羽根アーム２５が時計回りに回転され、図１に示すように、４枚の羽根２１〜２４が相互の重なりを小さくしながら展開して露光開口１０ａを閉鎖する。
【００３３】
セット部材によって先羽根用駆動ばねの付勢力によって先羽根用駆動部材が反時計回りに回転することに伴って、先羽根アーム２５が反時計回りに回転させられることにより、図３に示すように、４枚の羽根２１〜２４が相互の重なりを大きくしながら重畳して露光開口１０ａを開放する。
【００３４】
緩衝部材６０は、図１〜３に示すように、シャッタ地板１０の下端部に固定され、走行終了位置に達した先羽根群２０の羽根の衝撃を緩和するための部材である。緩衝部材６０は、ゴム、樹脂等の弾性材料からなる部材である。
【００３５】
緩衝部材６０は、図４（ａ），（ｂ）に示すように、長尺な略直方体形状であり、先羽根群２０の走行終了時に羽根２１の一辺部と当接する当接部６０ａを有する。図４（ａ）は、緩衝部材６０の上面図、図４（ｂ）は、図４（ａ）のＹ１−Ｙ１’線での切断面を示す図である。当接部６０ａは、シャッタ地板１０の面と平行であり、直方体の長手方向に伸び、羽根２１の一辺部と対向する平坦な面である当接面を備える。緩衝部材６０の当接部６０ａの反対側に、底部６０ｂが形成される。底部６０ｂは、接着剤でシャッタ地板１０の延出部１０ｄに固定される。
【００３６】
緩衝部材６０の内部には、複数の空洞部６０ｃが形成されている。空洞部６０ｃは、図４（ｂ）に示すように、当接部６０ａを、緩衝部材６０の伸びる方向と直交する面で切断したときに、切断された切断面に分散して配置されるように形成される。ここで、「分散して配置される」とは、多数の空洞部６０ｃが切断面全体に亘って分散して配置されることであり、分散の態様は、均一に分散して配置される場合、ランダムに分散して配置される場合など、緩衝部材６０に異なる方向から力が付加された場合に、柔軟に変形することができるように配置されることである。
【００３７】
空洞部６０ｃは、緩衝部材６０の長手方向に貫通する正円の断面形状を有する孔である。空洞部６０ｃは、切断された緩衝部材６０の切断面に、当接部６０ａから底部６０ｂに向けて、複数段形成されるように配置される。本実施の形態では、空洞部６０ｃは、一段目に３つ、二段面に２つ、三段目に３つ、それぞれ上下方向に正円の中心をずらして配置される。空洞部６０ｃの配置の方法は、切断面に分散して配置されればよく、段状ではなくランダムに配置されてもよい。また、切断面に対する孔の密度、すなわち、緩衝部材６０の切断面の面積に対する孔の面積の割合は、３０％〜４０％、好ましくは３５％としてもよい。また、緩衝部材６０として、約１．５５ｍｍの横幅を有する緩衝部材を使用するときには、孔の直径は、０．１ｍｍ〜０．３ｍｍ、好ましくは、０．２ｍｍとしてもよい。空洞部６０ｃの断面形状は、正円に限定されず、楕円、四角形など他の形状であってもよい。
【００３８】
図５（ａ），（ｂ）は、緩衝部材の他の例を示す図である。図５（ａ）は、緩衝部材６１の上面図、図５（ｂ）は、図５（ａ）のＹ２−Ｙ２’線での切断面を示す図である。緩衝部材６１は、緩衝部材６０と同様に、長尺な略直方体形状であり、先羽根群２０の走行終了時に羽根２１の一辺部と当接する当接部６１ａを有する。当接部６１ａは、シャッタ地板１０の面と平行であり、直方体の長手方向に伸び、平坦な面で形成されている。緩衝部材６１には、当接部６１ａの反対側に、底部６１ｂが形成される。底部６１ｂは、接着剤でシャッタ地板１０の延出部１０ｄに固定される。
【００３９】
緩衝部材６１の内部には、図５（ｂ）に示すように、複数の空洞部６１ｃが形成されている。空洞部６０ｃは、当接部６１ａを、緩衝部材６１の伸びる方向と直交する面で切断したときに、切断面にランダムに分散して配置されるように形成される。また、空洞部６１ｃは、緩衝部材６１の長手方向に分散して配置され、球状の輪郭を有する空洞部である。空洞部６１ｃの輪郭は、球状に限定されず、円柱、円錐など他の形状であってもよい。
【００４０】
このように、緩衝部材６０，６１には、内部に複数の空洞部６０ｃ，６１ｃが形成されているので、当接部６０ａ，６１ａの当接面に対して、羽根が垂直より傾斜して当接した場合でも、大きく変形することで、緩衝を吸収することができる。具体的には、図６（ａ），（ｂ）に示すように、羽根２１が走行終了位置まで到達し、緩衝部材６０（６１）の当接部６０ａ（６１ａ）に、当接部６０ａ（６１ａ）の当接面に対して、垂直より傾斜して衝突する。当接部６０ａ（６１ａ）の当接面に対して、羽根２１が垂直より傾斜して衝突することで、内部に形成された複数の空洞部６０ｃ（６１ｃ）が収縮して、当接部６０ａ（６１ａ）が大きく変形する。当接部６０ａ（６１ａ）が大きく変形することで、羽根２１の衝撃は緩和され、羽根２１は変形することも、破損することもない。
【００４１】
次に、図１、図３を参照して、フォーカルプレンシャッタ１００の動作について説明する。
【００４２】
（初期状態）
図１は、セット部材によるセット動作が完了したとき初期状態を示す。先羽根用駆動部材は、シャッタ動作前のセット位置においてセット部材により係止される。先羽根群２０は、図１に示すように、展開した状態で露光開口１０ａを覆っている。後羽根用駆動部材は、シャッタ動作前のセット位置においてセット部材により係止される。後羽根群５０は、重畳した状態で露光開口１０ａの上方に位置する。セット部材は、先羽根用駆動部材を先羽根用駆動ばねの付勢力に抗して係止するとともに、後羽根用駆動部材を後羽根用駆動ばねの付勢力に抗して係止する。
【００４３】
（撮影開始）
レリーズボタンが押下されると、先羽根用電磁石及び後羽根用電磁石に通電され、先羽根用駆動部材及び後羽根用駆動部材は、先羽根用電磁石及び後羽根用電磁石によって吸着保持される。
【００４４】
（セット部材退避）
先羽根用駆動部材及び後羽根用駆動部材が、先羽根用電磁石及び後羽根用電磁石によって吸着保持された状態において、セット部材は、付勢ばねの付勢力によって所定方向に回転し、セット位置から退避位置に戻る。これにより、先羽根用駆動部材及び後羽根用駆動部材の係止が解除されるものの、先羽根用電磁石及び後羽根用電磁石によって吸着保持された状態が維持されているため、反時計回りの回転が抑止される。
【００４５】
（先羽根シャッタ動作）
次に、先羽根用電磁石の通電が停止されることにより、先羽根用駆動部材の反時計回りの回転の抑止が解除され、先羽根用駆動部材は、図３に示すように、支軸１１ａを中心に反時計回りに回転する。これにより、先羽根群２０は、露光開口１０ａを開くように下方向に移動しながら畳まれ、露光開口１０ａを開口させる。先羽根用駆動部材の時計回りの回転は、羽根用駆動部材の駆動ピンが長孔１０ｂの下端部に設けられた当接部材に当接することにより停止する。
【００４６】
これに伴い、先羽根アーム２５，２６の反時計回りの回転が停止する。羽根２１〜２４の走行が終了し、図３に示すように、先羽根アーム２５，２６の最も先端に枢支された羽根２１が緩衝部材６０に当接する。具体的には、羽根２１の走行方向に対向する一対の一辺部の一方が、緩衝部材６０の当接部６０ａに当接し、緩衝部材６０は弾性変形しながら衝撃を吸収する。
【００４７】
（後羽根シャッタ動作）
先羽根用電磁石の通電の停止から所定時間経過後、後羽根用電磁石の通電が停止されることによって、後羽根用駆動部材の回転の抑止が解除される。これにより、後羽根用駆動ばねによって反時計回りに付勢されている後羽根用駆動部材は、反時計回りに回転し、後羽根用駆動部材の駆動ピンが長孔１０ｃの上端から下端に走行する。後羽根用駆動部材の駆動ピンの走行により、後羽根群５０は、露光開口１０ａを覆うように下方に移動しながら展開し、露光開口１０ａを閉鎖する。これにより、先羽根群２０及び後羽根群５０による一連のシャッタ動作が終了する。
【００４８】
（セット動作）
次に、セット部材は、次の撮影に備え、先羽根用駆動部材と後羽根用駆動部材のそれぞれに駆動力を与えて係止するセット動作を行う。セット部材は、図示しない駆動機構の駆動力によって、付勢ばねの付勢力に抗して所定方向に回転する。セット部材の回転に伴い、先羽根用駆動部材は、先羽根用駆動ばねの付勢力に抗して時計回りに回転する。また、後羽根用駆動部材は、後羽根用駆動ばねの付勢力に抗して時計回りに回転する。後羽根駆動部材の回転により、後羽根群５０は、露光開口１０ａを開くように上方向に移動しながら畳まれ、露光開口１０ａを開放する。また、先羽根駆動部材の回転により、先羽根群２０は、露光開口１０ａを覆うように上方向に移動しながら展開し、露光開口１０ａを閉鎖する。
【００４９】
セット部材は、駆動機構により所定角度回転したところでその回転を停止させられてセット位置に保持される。このように、先羽根用駆動部材及び後羽根用駆動部材はシャッタ動作前のセット位置にセットされ、先羽根群２０及び後羽根群５０にシャッタ動作をさせるための駆動力がチャージされる。このように、フォーカルプレンシャッタ１００は、図１に示す初期状態に戻る。
【００５０】
本実施の形態によれば、フォーカルプレンシャッタ１００の緩衝部材６０，６１には、複数の空洞部６０ｃ，６１ｃが、緩衝部材６０，６１の伸びる方向と直交する切断面に分散するように配置されている。したがって、緩衝部材６０，６１に羽根２１が衝突したときに、緩衝部材６０，６１は大きく変形して、衝撃を緩和することができる。例えば、羽根２１が走行中にバタつくことで、この羽根２１が当接部６０a，６１aに対して垂直より傾斜して当接した場合でも、大きく変形して衝撃を吸収し、羽根の変形や破損を防止することができる。
【００５１】
（変形例）
本実施の形態では、当接部６０ａ，６１ａは、平坦な面を備えると説明したが、本発明は、このような形態に限定されない。当接部６０ａ，６１ａに凸部が形成されていてもよい。
【００５２】
図７（ａ），（ｂ）に、当接部に凸部を形成した緩衝部材の例を示す。図７（ａ）は、緩衝部材６２の上面図、図７（ｂ）は、図７（ａ）のＹ３−Ｙ３’線での切断面を示す図である。
【００５３】
緩衝部材６２は、図７（ａ），（ｂ）に示すように、長尺な略直方体形状であり、先羽根群２０の走行終了時に羽根２１の一辺部と当接する当接部６２ａを有する。緩衝部材６２には、当接部６２ａの反対側に、底部６２ｂが形成される。底部６２ｂは、接着剤でシャッタ地板１０の延出部１０ｄに固定される。
【００５４】
当接部６２ａには、緩衝部材６２の長手方向と同一方向に伸び、互いに平行に並んで配置された、半円柱形状の複数の凸部６２ａａが形成されている。１つの凸部６２ａａの頂点と、当該凸部６２ａａに隣合う凸部６２ａａの頂点との間の長さｎは、当接部６２ａに当接する羽根２１の厚みｍより長い。
【００５５】
緩衝部材６２の内部には、複数の空洞部６２ｃが形成されている。空洞部６２ｃは、図７（ｂ）に示すように、緩衝部材６２を、緩衝部材６２が伸びる方向と直交する面で切断したときに、切断面に分散して配置されるように形成される。空洞部６２ｃは、空洞部６０ｃのように緩衝部材６２の長手方向に伸びて形成された孔であってもよいし、空洞部６１ｃのように球形の輪郭を有する空洞部であってもよい。
【００５６】
本変形例によれば、当接部６２ａに複数の凸部６２ａａを形成したので、羽根２１が傾斜して当接部６２ａに当接しても、凸部６２ａａの曲面により羽根２１の方向を修正して、当接部６２aに対して垂直に当接できる。また、羽根２１の厚みｍよりも凸部６２ａａ間の長さｎを長くしたので、羽根２１が凸部６２ａａの曲面に誘導されて隣接する凸部６２ａａとの間に入り、羽根２１の方向を容易に修正することができる。
【００５７】
本変形例によれば、実施の形態で説明した複数の空洞部６０ｃ，６１ｃに加えて、当接部６２ａに凸部６２ａａを形成したので、緩衝部材６２を大きく変形させて、羽根２１への衝撃を低減するとともに、当接部６２ａに当接する羽根２１の方向を、当接部６２ａに対して垂直な方向に修正することで、羽根への衝撃力を更に低減することができ、羽根の変形、破損を防止することができる。
【００５８】
上述の実施の形態では、フォーカルプレンシャッタ１００の先羽根群２０を例に説明したが、本発明は先羽根群２０のみに限定されない。本発明は、後羽根群５０、１つの羽根を備えるフォーカルプレンシャッタ、先羽根用駆動部材及び後羽根用駆動部材が複数の駆動部材により構成されているフォーカルプレンシャッタ等にも適用可能である。
【００５９】
上述の実施の形態では、フォーカルプレンシャッタ１００の羽根２１について本発明を適用する例について説明した。本発明は、緩衝部材６０〜６２の取り付ける位置を変更することにより、先羽根群２０の他の羽根の衝撃を緩和することもできる。
【００６０】
上述の実施の形態では、緩衝部材６０〜６２は、シャッタ地板１０の延出部１０ｄに固定されると説明したが、本発明は、他の固定方法により緩衝部材６０〜６２をシャッタ地板１０に取り付けてもよい。例えば、緩衝部材６０〜６２は、長手方向の両端部を固定部材によりシャッタ地板１０に固定させてもよい。
【００６１】
上述の実施の形態では、緩衝部材６０〜６２は、長尺な略直方体形状であると説明したが、本発明の緩衝部材は、このような形状に限定されない。緩衝部材を短尺な略直方体形状に形成して、延出部１０ｄに間隔を空けて配置してもよい。このような形状及び配置に緩衝部材を取り付けることにより、緩衝部材の材料を節約することができる。
【００６２】
上述の変形例では、凸部６２ａａは、当接部６２ａの長手方向に伸びる半円柱状の凸部であると説明したが、本発明はこのような形状に限定されない。当接部６２ａの全面に亘って半球状の凸部を配置してもよい。
【００６３】
以上の実施の形態及び変形例は例示であり、本発明はこれらに限定されるものではなく、特許請求の範囲に記載した発明の趣旨を逸脱しない範囲でさまざまな実施の形態が可能である。各実施の形態や変形例で記載した構成要素は自由に組み合わせることが可能である。また特許請求の範囲に記載した発明と均等な発明も本発明に含まれる。
【符号の説明】
【００６４】
１０  シャッタ地板
１０ａ  露光開口
１０ｂ，１０ｃ  長孔
１０ｄ  延出部
１１ａ，１１ｂ，１１ｃ，１１ｄ，１１ｅ  支軸
２０  先羽根群
２１，２２，２３，２４  羽根
２５，２６  先羽根アーム
２５ａ  長孔
３０  中間板
４０  補助地板
５０  後羽根群
６０，６１，６２  緩衝部材
６０ａ，６１ａ，６２ａ  当接部
６０ｂ，６１ｂ，６２ｂ  底面部
６０ｃ，６１ｃ，６２ｃ  空洞部
６２ａａ  凸部
１００  フォーカルプレンシャッタ
【図１】
2019002985.tif 000003
【図２】
2019002985.tif 000004
【図３】
2019002985.tif 000005
【図４】
2019002985.tif 000006
【図５】
2019002985.tif 000007
【図６】
2019002985.tif 000008
【図７】
2019002985.tif 000009